(57)【要約】      （修正有）【課題】ガス充填操作に時間がかからず、簡易で、安全かつ衛生で、携帯に便利で、原価が低く、密封効果が高いプレス式ガス充填バルブを提供する。【解決手段】トップカバー１と、トップカバーとスナップ結合されるアンダーカバー２を含むボール構造を有する。上記トップカバーはプレス部と上記プレス部の縁から延びる上延伸部を含み、上記上延伸部には吸気口と空気抜け口が並列して設置される。上記吸気口の内部には第１シリコン・アンブレラバルブが取り付けられ、上記吸気口内部の縁上には挿しおよび抜きが可能である第１プラグ１５が嵌められ、上記空気抜け口の中には円柱体１６が挿入される。上記空気抜け口の内部縁には挿しおよび抜きが可能である第２プラグ１７が嵌められ、上記アンダーカバーは支持部と上記支持部の縁から延びる下延伸部を含み、上記下延伸部には排気口と円孔が並列して設置される。上記排気口には第２シリコン・アンブレラバルブが取り付けられ、排気口はアンダーカバーに設けられる凹溝２５を介して支持部と連通される。【選択図】図１
0003221914.tif 000002
【実用新案登録請求の範囲】
【請求項１】
トップカバーと、トップカバーとスナップ結合するアンダーカバーを含むボール構造を有し、
前記トップカバーはプレス部と前記プレス部の縁から延びる上延伸部を含み、前記上延伸部には吸気口と空気抜け口が並列して設置され、前記吸気口の内部には第１シリコン・アンブレラバルブが取り付けられ、前記吸気口内部の縁上には挿しおよび抜きが可能である第１プラグが嵌められ、前記空気抜け口の中には円柱体が挿入され、前記空気抜け口の内部縁には挿しおよび抜きが可能である第２プラグが嵌められ、
前記アンダーカバーは支持部と前記支持部の縁から延びる下延伸部を含み、前記下延伸部には排気口と円孔が並列して設置され、前記排気口には第２シリコン・アンブレラバルブが取り付けられ、前記排気口は前記アンダーカバーに設けられる凹溝を介して前記支持部と連通し、
前記吸気口と排気口とは対応し、前記円柱体は前記円孔に挿入される、
ことを特徴とするプレス式ガス充填バルブ。
【請求項２】
前記トップカバーの高さは前記アンダーカバーの高さより高い、ことを特徴とする請求項１に記載のプレス式ガス充填バルブ。
【請求項３】
前記円柱体は中空構造の円柱体である、ことを特徴とする請求項１に記載のプレス式ガス充填バルブ。
【請求項４】
前記凹溝はチューブ状のストリップ形凹溝である、ことを特徴とする請求項１に記載のプレス式ガス充填バルブ。
【請求項５】
トップカバーとアンダーカバーを組み合わせてなる前記ボール構造は密封ボール構造である、ことを特徴とする請求項１に記載のプレス式ガス充填バルブ。
【請求項６】
前記第１プラグと前記第２プラグの構造は同じであり、いずれもプラグキャップ、プラグシートおよび連結バンドを含み、前記プラグキャップは前記連結バンドによってプラグシートと連結される、ことを特徴とする請求項１に記載のプレス式ガス充填バルブ。
【請求項７】
前記第１プラグと第２プラグはいずれもゴムまたはプラスチック材質である、ことを特徴とする請求項６に記載のプレス式ガス充填バルブ。
【請求項８】
エアクッション、エアフットクッションまたはエア玩具に使用される、ことを特徴とする請求項１に記載のプレス式ガス充填バルブ。
【考案の詳細な説明】
【技術分野】
【０００１】
本考案はガス充填機器の技術分野に関するものであり、特にプレス式ガス充填バルブに関するものである。
【背景技術】
【０００２】
ガス充填装置は二酸化炭素や窒素などのガスを製品の入った容器内に吹き入れて、容器内部の空気を置換する装置である。既存のガス充填方法としては通常ガスノズルを増やしたり、人工で空気を吹き入れたりして、簡単に行なうか、ガス充填ポンプを利用して速やかにガスを吹き入れるか、空気入れを利用して、幅広く使用している。
【０００３】
しかし、そのうち、ノズルを増やす方法と人工で空気を吹き入れる方法は、容量の大きいガス充填物である際は不適合であり、人件費が増え、時間がかかり、難しいだけでなく、直接口で吹き入れることは衛生的でもない。ガス充填ポンプを利用すると、携帯に不便であるだけでなく、原価も高い。空気入れを利用すると、ガス充填物がガス充填中、漏れ易くて、効率が低い。
そのため、便利で、易しくて、衛生的なプレス式ガス充填バルブを提供することは、この分野の技術者にとって、急に解決しなければならぬ課題となっている。
【考案の概要】
【０００４】
考案が解決しようとする課題
プレス式ガス充填バルブを提供して、便利で、易しくて、衛生的にガスを入れることができ、携帯に便利であり、原価が低く、密封効果が良い。
課題を実現するための技術手段
トップカバーと、トップカバーとスナップ結合されるアンダーカバーを含むボール構造であり、前記トップカバーはプレス部と前記プレス部の縁から延ばされる上延伸部を含み、前記上延伸部には吸気口と空気抜け口が設置され、前記吸気口と空気抜け口は並列に設置され、前記吸気口の内部には第１シリコン・アンブレラバルブが取り付けられ、前記吸気口内部の縁上には挿し／抜きが可能である第１プラグが嵌れており、前記空気抜け口の中には円柱体が挿し込まれており、前記空気抜け口の内部縁には挿し／抜きが可能である第２プラグが嵌れており、前記アンダーカバーは支持部と前記支持部の縁から延ばされる下延伸部を含み、前記下延伸部には排気口と円孔が設置され、前記排気口と前記円孔は並列に設置され、前記排気口には第２シリコン・アンブレラバルブが取り付けられ、前記排気口は前記アンダーカバーに開かれた凹溝を通じて前記支持部と連通され、そのうち、前記吸気口と排気口は対応し合い、前記円柱体は前記円孔に挿し込まれる、プレス式ガス充填バルブ。
【０００５】
上記技術手段を採用した、本考案の有益な効果：
１）プレス部を押し付けることによって、吸気口に取り付けられている第１シリコン・アンブレラバルブにおいて、ボール構造が跳ね起きる時に、圧力の作用によって外部の空気が第１シリコン・アンブレラバルブを通り抜けてボール構造の内部に空気を吸い込み、この時、第２シリコン・アンブレラバルブはボール構造の内部を密封する役割を果たし、空気が一杯になると、圧力は第１シリコン・アンブレラバルブを支えることになり、この時、第１シリコン・アンブレラバルブはガスを止める役割を果たし、このように、ボール構造の内部には空気が一杯になり、手でプレス部を再び押すと、空気は第２シリコン・アンブレラバルブを通り抜けて、ガス充填物の内部に空気を注入する。
２）ガス充填物の使用が終わってから、第２プラグを開けると、ガス充填物内部のガスは排出される。
３）ガス充填物のガス充填が終わってから、第１プラグを閉めて、ガス充填物内のガスが漏れないようにして、密封役割を果たす。
【０００６】
４）吸気口と排気口はボール構造上に設置されておらず、それぞれ上延伸端と下延伸端に設置されているので、圧力を加える時に手が吸気口を排気口を塞がないようにして、作業効率を向上する。
さらに、前記トップカバーの高さは前記アンダーカバーの高さより大きい。
【０００７】
上記技術手段を採用する有益な技術的効果としては、フロア上で片手でプレス部を押すことに便利であるだけでなく、支持部はしっかりとフロア上に固定されて、ボール構造全体に支えることになる。
さらに、前記円柱体は中空構造の円柱体である。
【０００８】
上記技術手段を採用する有益な技術的効果としては、トップカバーとアンダーカバーとの間の挿し込み結合に使用されるだけでなく、中空構造は重量を減らすことができ、ガス排出に便利である。
さらに、前記凹溝はチューブ状のストリップ形凹溝である。
さらに、前記トップカバーとアンダーカバーを組み合わせてなる前記ボール構造は密封ボール構造である。
【０００９】
上記技術手段を採用する有益な技術的効果としては、チューブ状ストリップ形凹溝のデザインによって、押す時にガス進出通路の塞ぎなどがないようにし、トップカバーとアンダーカバーの間に１つだけの通路があるため、密封効果が良い。
【００１０】
さらに、前記第１プラグと前記第2プラグの構造は同様であり、いずれもプラグキャップやプラグシートおよび連結バンドを含み、前記プラグキャップは前記連結バンドによってプラグシートと連結される。
さらに、前記第1プラグと第2プラグはいずれもゴムまたはプラスチック材質である。
上記技術手段を採用する有益な技術的効果としては、挿し／抜きが便利であり、密封効果が良い。
さらに、前記プレス式ガス充填バルブはエアクッションやエアフットクッションまたはエア玩具に使用される。
【００１１】
上記技術手段から見れば、本考案は従来技術に比べて、プレス式ガス充填バルブを提供するとによって、操作が便利になり、時間がかからず、容易であり、携帯に便利であり、原価が低く、密封効果が良い。
【図面の簡単な説明】
【００１２】
【図１】図１は本考案のプレス式ガス充填バルブの全体構造略図である。
【図２】図２は本考案のトップカバー構造略図である。
【図３】図３は本考案のアンダーカバー構造略図である。
【００１３】
符号の説明
１−トップカバー、２−アンダーカバー、１１−プレス部、１２−上延伸部、１３−吸気部、１４−空気抜け口、１５−第１プラグ、１６−円柱体、１７−第２プラグ、２１−支持部、２２−下延伸部、２３−排気口、２４−円孔、２５−凹溝。
【考案を実施するための形態】
【００１４】
以下具体的な実施例を通じて、図面を参照しながら、本考案についてさらに詳しく説明する。
実施例１
図１−３のとおり、本考案の実施例は、トップカバー１とトップカバー１とスナップ結合されるアンダーカバー２を含むボール構造であり、前記トップカバー１はプレス部１１と前記プレス部１１の縁から延ばされる上延伸部１２を含み、前記上延伸部１２には吸気口１３と空気抜け口１４が設置され、前記吸気口１３と空気抜け口１４は並列に設置され、前記吸気口１３の内部には第１シリコン・アンブレラバルブが取り付けられ、前記吸気口１３内部の縁上には挿し／抜きが可能である第１プラグ１５が嵌れており、前記空気抜け口１４の中には円柱体１６が挿し込まれており、前記空気抜け口１４の内部縁には挿し／抜きが可能である第２プラグ１７が嵌れており、前記アンダーカバー２は支持部２１と前記支持部２１の縁から延ばされる下延伸部２２を含み、前記下延伸部２２には排気口２３と円孔２４が設置され、前記排気口２３と前記円孔２４は並列に設置され、前記排気口２３には第２シリコン・アンブレラバルブが取り付けられ、排気口２３はアンダーカバー２に開かれた凹溝２５を通じて支持部２１と連通され、そのうち、吸気口１３と排気口２３は対応し合い、円柱体１６は円孔２４に挿し込まれる、プレス式ガス充填バルブを開示している。本考案を採用したプレス式ガス充填バルブは、ガス充填中操作が便利であり、時間がかからず、易しく、安全で衛生的であり、ガス充填バルブ自体の携帯に便利であり、原価が低く、密封効果が良い。
具体的に、トップカバー１の高さはアンダーカバー２の高さより大きい。
具体的に、円柱体１６は中空構造の円柱体である。
具体的に、凹溝２５はチューブ状ストリップ形凹溝である。
具体的に、トップカバー１とアンダーカバー２を組み合わせてなるボール構造は密封ボール構造である。
【００１５】
具体的に、第１プラグ１５と第二プラグ１７の構造は同様であり、いずれもプラグキャップやプラグシートおよび連結バンドを含み、プラグキャップは連結バンドによってプラグシートと連結される。
【００１６】
本考案によって生じる有益な技術的効果をさらに体現するために、本実施例の第１プラグ１５と第２プラグ１７はいずれもゴムまたはプラスチック材質を使用することができ、本実施例では、好ましくてゴム材質を使用するが、密封効果がより良くなる。
【００１７】
本考案によって生じる有益な技術的効果をさらに体現するために、本実施例のプレス式ガス充填バルブはエアクッションやエアフットクッションまたはエア玩具に使用されるが、本実施例では、プレス式ガス充填バルブをエアクッションに使用する。
【００１８】
本考案の具体的な使用において、先ずプレス式ガス充填バルブをエアクッションに接続し、接続が終わると、プレス部１１を押し付け、吸気口１３の内部に取り付けられている第1シリコン・アンブレラバルブは、ボール構造が跳ね起きる時に、圧力の作用によって、外部の空気が第１シリコン・アンブレラバルブを通り抜けてボール構造の内部に空気を吸い込み、この時、第２シリコン・アンブレラバルブはボール構造の内部を密封する役割を果たし、空気が一杯になると、圧力は第１シリコン・アンブレラバルブを支えることになり、この時、第１シリコン・アンブレラバルブはガスを止める役割を果たし、このように、ボール構造の内部には空気が一杯になり、手でプレス部１１を再び押すと、空気は第２シリコン・アンブレラバルブを通り抜けて、エアクッションの内部に空気を注入する。その後、エアクッションへのガス充填が終わると、第１プラグ１５を閉めて、エアクッション中のガスが漏れないようにし、密封役割を果たし、エアクッションの使用が終わると、第２プラグ１７を開いて、エアクッション中のガスを排出する。プロセス全体は簡単かつ便利であり、時間がかからず、易しく、安全かつ衛生的であり、密封効果が良く、ガス充填中ガス漏れなどが発生しない。
実施例２
【００１９】
図１−３のとおり、本考案の実施例は、トップカバー１とトップカバー１とスナップ結合されるアンダーカバー２を含むボール構造であり、前記トップカバー１はプレス部１１と前記プレス部１１の縁から延ばされる上延伸部１２を含み、前記上延伸部１２には吸気口１３と空気抜け口１４が設置され、前記吸気口１３と空気抜け口１４は並列に設置され、前記吸気口１３の内部には第１シリコン・アンブレラバルブが取り付けられ、前記吸気口１３内部の縁上には挿し／抜きが可能である第１プラグ１５が嵌れており、前記空気抜け口１４の中には円柱体１６が挿し込まれており、前記空気抜け口１４の内部縁には挿し／抜きが可能である第２プラグ１７が嵌れており、前記アンダーカバー２は支持部２１と前記支持部２１の縁から延ばされる下延伸部２２を含み、前記下延伸部２２には排気口２３と円孔２４が設置され、前記排気口２３と前記円孔２４は並列に設置され、前記排気口２３には第２シリコン・アンブレラバルブが取り付けられ、排気口２３はアンダーカバー２に開かれた凹溝２５を通じて支持部２１と連通され、そのうち、吸気口１３と排気口２３は対応し合い、円柱体１６は円孔２４に挿し込まれる、プレス式ガス充填バルブを開示している。本考案を採用したプレス式ガス充填バルブは、ガス充填中操作が便利であり、時間がかからず、易しく、安全で衛生的であり、ガス充填バルブ自体の携帯に便利であり、原価が低く、密封効果が良い。
具体的に、トップカバー１の高さはアンダーカバー２の高さより大きい。
具体的に、円柱体１６は中空構造の円柱体である。
具体的に、凹溝２５はチューブ状ストリップ形凹溝である。
具体的に、トップカバー１とアンダーカバー２を組み合わせてなるボール構造は密封ボール構造である。
【００２０】
具体的に、第１プラグ１５と第二プラグ１７の構造は同様であり、いずれもプラグキャップやプラグシートおよび連結バンドを含み、プラグキャップは連結バンドによってプラグシートと連結される。
【００２１】
本考案によって生じる有益な技術的効果をさらに体現するために、本実施例の第１プラグ１５と第２プラグ１７はいずれもゴムまたはプラスチック材質を使用することができ、本実施例では、好ましくてプラスチック材質を使用するが、堅固で耐用性が良く、厚さが均一である。
【００２２】
本考案によって生じる有益な技術的効果をさらに体現するために、本実施例のプレス式ガス充填バルブはエアクッションやエアフットクッションまたはエア玩具に使用されるが、本実施例では、プレス式ガス充填バルブをエアフットクッションに使用する。
【００２３】
本考案の具体的な使用において、先ずプレス式ガス充填バルブをエアフットクッションに接続し、接続が終わると、プレス部１１を押し付け、吸気口１３の内部に取り付けられている第1シリコン・アンブレラバルブは、ボール構造が跳ね起きる時に、圧力の作用によって、外部の空気が第１シリコン・アンブレラバルブを通り抜けてボール構造の内部に空気を吸い込み、この時、第２シリコン・アンブレラバルブはボール構造の内部を密封する役割を果たし、空気が一杯になると、圧力は第１シリコン・アンブレラバルブを支えることになり、この時、第１シリコン・アンブレラバルブはガスを止める役割を果たし、このように、ボール構造の内部には空気が一杯になり、手でプレス部１１を再び押すと、空気は第２シリコン・アンブレラバルブを通り抜けて、エアクッションの内部に空気を注入する。その後、エアフットクッションへのガス充填が終わると、第１プラグ１５を閉めて、エアフットクッション中のガスが漏れないようにし、密封役割を果たし、エアフットクッションの使用が終わると、第２プラグ１７を開いて、エアフットクッション中のガスを排出する。プロセス全体は簡単かつ便利であり、時間がかからず、易しく、安全かつ衛生的であり、密封効果が良く、ガス充填中ガス漏れなどが発生しない。
【００２４】
実施例３
図１−３のとおり、本考案の実施例は、トップカバー１とトップカバー１とスナップ結合されるアンダーカバー２を含むボール構造であり、前記トップカバー１はプレス部１１と前記プレス部１１の縁から延ばされる上延伸部１２を含み、前記上延伸部１２には吸気口１３と空気抜け口１４が設置され、前記吸気口１３と空気抜け口１４は並列に設置され、前記吸気口１３の内部には第１シリコン・アンブレラバルブが取り付けられ、前記吸気口１３内部の縁上には挿し／抜きが可能である第１プラグ１５が嵌れており、前記空気抜け口１４の中には円柱体１６が挿し込まれており、前記空気抜け口１４の内部縁には挿し／抜きが可能である第２プラグ１７が嵌れており、前記アンダーカバー２は支持部２１と前記支持部２１の縁から延ばされる下延伸部２２を含み、前記下延伸部２２には排気口２３と円孔２４が設置され、前記排気口２３と前記円孔２４は並列に設置され、前記排気口２３には第２シリコン・アンブレラバルブが取り付けられ、排気口２３はアンダーカバー２に開かれた凹溝２５を通じて支持部２１と連通され、そのうち、吸気口１３と排気口２３は対応し合い、円柱体１６は円孔２４に挿し込まれる、プレス式ガス充填バルブを開示している。本考案を採用したプレス式ガス充填バルブは、ガス充填中操作が便利であり、時間がかからず、易しく、安全で衛生的であり、ガス充填バルブ自体の携帯に便利であり、原価が低く、密封効果が良い。
【００２５】
具体的に、トップカバー１の高さはアンダーカバー２の高さより大きい。
具体的に、円柱体１６は中空構造の円柱体である。  
具体的に、凹溝２５はチューブ状ストリップ形凹溝である。
具体的に、トップカバー１とアンダーカバー２を組み合わせてなるボール構造は密封ボール構造である。
具体的に、第１プラグ１５と第二プラグ１７の構造は同様であり、いずれもプラグキャップやプラグシートおよび連結バンドを含み、プラグキャップは連結バンドによってプラグシートと連結される。
【００２６】
本考案によって生じる有益な技術的効果をさらに体現するために、本実施例の第１プラグ１５と第２プラグ１７はいずれもゴムまたはプラスチック材質を使用することができ、本実施例では、好ましくてプラスチック材質を使用するが、堅固で耐用性が良く、厚さが均一である。
【００２７】
本考案によって生じる有益な技術的効果をさらに体現するために、本実施例のプレス式ガス充填バルブはエアクッションやエアフットクッションまたはエア玩具に使用されるが、本実施例では、プレス式ガス充填バルブをエア玩具に使用する。
【００２８】
本考案の具体的な使用において、先ずプレス式ガス充填バルブをエア玩具に接続し、接続が終わると、プレス部１１を押し付け、吸気口１３の内部に取り付けられている第1シリコン・アンブレラバルブは、ボール構造が跳ね起きる時に、圧力の作用によって、外部の空気が第１シリコン・アンブレラバルブを通り抜けてボール構造の内部に空気を吸い込み、この時、第２シリコン・アンブレラバルブはボール構造の内部を密封する役割を果たし、空気が一杯になると、圧力は第１シリコン・アンブレラバルブを支えることになり、この時、第１シリコン・アンブレラバルブはガスを止める役割を果たし、このように、ボール構造の内部には空気が一杯になり、手でプレス部１１を再び押すと、空気は第２シリコン・アンブレラバルブを通り抜けて、エア玩具の内部に空気を注入する。その後、エア玩具へのガス充填が終わると、第１プラグ１５を閉めて、エア玩具中のガスが漏れないようにし、密封役割を果たし、エア玩具の使用が終わると、第２プラグ１７を開いて、エア玩具中のガスを排出する。プロセス全体は簡単かつ便利であり、時間がかからず、易しく、安全かつ衛生的であり、密封効果が良く、ガス充填中ガス漏れなどが発生しない。
【００２９】
以上は本考案の基本原理と主な特徴および本考案の長所について説明したが、本業界の技術者であれば、本考案は上記実施例の制限を受けず、上記実施例と明細書中の説明は、ただの本考案の原理を説明するためのものであり、本考案の宗旨と範囲を離脱しない限り、これらの変動と改進はいずれも本実用新案請求の範囲に属するということを承知すべきである。
【図１】
0003221914.tif 000003
【図２】
0003221914.tif 000004
【図３】
0003221914.tif 000005